(57)【特許請求の範囲】
【請求項１】
建築物の外側に対をなす下地材兼方立てを先付けして、これら下地材兼方立ての間に両端の裏側を下地材兼方立てに止着したルーバー材を並列して構成させる建築用外装ルーバーであって、
上記下地材兼方立ては、並列させる各ルーバー材の小口を覆う側面の裏側近くに配し、上記裏側には建築物へ固定する取付部材を有して、この取付部材で対をなす下地材兼方立てを相互の間に、ルーバー材が納まる間隔で建築物へ固定するものであり、
上記下地材兼方立てを、上下に長い長尺の支持片に接合して一体化させ、該支持片に上記各ルーバー材の端部の裏側を支持させ、
上記ルーバー材を対をなす下地材兼方立ての間に収めて、上記ルーバー材の両端の裏側を上記支持片に接合することにより、対をなす下地材兼方立ての間に並列させた
ことを特徴とする建築用外装ルーバー。
【請求項２】
上記下地材兼方立ての取付部材は、建築物への取付部と、下地材兼方立てへの取付部とに分割形成されて、各々を建築物と下地材兼方立てへ取り付けた後、接合によって一体化させたものであることを特徴とする請求項１に記載の建築用外装ルーバー。
【請求項３】
上記下地材兼方立ての裏側に設ける取付部材は、下地材兼方立ての取付部が山形をなす取付面を有し、建築物への取付部がハの字形をなす取付面を有するものであることを特徴とする請求項１又は２のいずれかに記載の建築用外装ルーバー。
【発明の詳細な説明】
【技術分野】
【０００１】
本発明は、建築物に設けられた開口部等へ設置するのに適した建築用外装ルーバーに関する。
【背景技術】
【０００２】
従来、建築物には通気や採光を妨げずに目隠し効果を得るように化粧ルーバー材を取り付けた外装ルーバーが設置されており、この外装ルーバーにおいて、耐水材料で長手方向に延びるように形成された化粧ルーバー材の貫通孔に形鋼を挿通し、この形鋼の両端を一体化された接続部材を介して建物構造体に支持させた構成のものは知られている。（例えば、特許文献１参照）
【特許文献１】特開２００２−１８０６２７号公報
【０００３】
しかしながら、上記構成の外装ルーバーは、（１）長手方向に延びる化粧ルーバー材の貫通孔に形鋼を挿通するため、この作業に手が掛かって設置の作業性がよくない。（２）形鋼の端部と接続部材の接合を溶接で行えば、化粧ルーバー材の端部を熱損傷させ易く、また、ねじで行えばルーバー材と接続部材の隙間が広くなって、ねじによる結合部を覗かせるため意匠性が損なわれる。（３）形鋼と接続部材を溶接で接合する場合、溶接強度の不足により化粧ルーバー材の落下による事故や損傷を生じ易い。等の問題点を有する。
【発明の開示】
【発明が解決しようとする課題】
【０００４】
本発明は前記問題点を解消し、作業性が良くて、強度および意匠性にも優れた建築用外装ルーバーを提供することをその課題とする。
【課題を解決するための手段】
【０００５】
前記課題を解決するため、請求項１に係る発明は、建築物の外側に対をなす下地材兼方立てを先付けして、これら下地材兼方立ての間に両端の裏側を下地材兼方立てに止着したルーバー材を並列して構成させる建築用外装ルーバーであって、上記下地材兼方立ては、並列させる各ルーバー材の小口を覆う側面の裏側近くに配し、上記裏側には建築物へ固定する取付部材を有して、この取付部材で対をなす下地材兼方立てを相互の間に、ルーバー材が納まる間隔で建築物へ固定するものであり、上記下地材兼方立てを、上下に長い長尺の支持片に接合して一体化させ、該支持片に上記各ルーバー材の端部の裏側を支持させ、上記ルーバー材を対をなす下地材兼方立ての間に収めて、上記ルーバー材の両端の裏側を上記支持片に接合することにより、対をなす下地材兼方立ての間に並列させたことを特徴とする。
【０００６】
請求項２に係る発明は、請求項１において、上記下地材兼方立ての取付部材は、建築物への取付部と、下地材兼方立てへの取付部とに分割形成されて、各々を建築物と下地材兼方立てとへ取り付けた後、接合によって一体化させたものであることを特徴とする。
【０００７】
請求項３に係る発明は、請求項１又は請求項２のいずれかにおいて、上記下地材兼方立ての裏側に設ける取付部材は、下地材兼方立ての取付部が山形をなす取付面を有し、建築物への取付部がハの字形をなす取付面を有するものであることを特徴とする。
【発明の効果】
【０００８】
請求項１に係る発明によれば、対をなす下地材兼方立てを取付部材で建築物へ取り付けて、これら下地材兼方立ての間にルーバー材を収め、その両端の裏側を支持片へ接合するから、下地材兼方立ての間にルーバー材が並列された外装ルーバーが容易にしかも迅速に設置されて、作業性の向上と作業の省力化が図れるだけでなく、下地材兼方立てが、ルーバー材の小口をカバーするため意匠性が高められる。
また、下地材兼方立ての支持片と、ルーバー材の両端裏側との接合は、ボルト等で十分な強度を有するように行われるので、ルーバー材が離脱して落下するための破損や事故の防止に有効である。
更に、下地材兼方立てによるルーバー材の両端支持は強固に行われて、長尺のルーバー材の場合でも中間に支持部材を配置する必要がないから、意匠性が優れるだけでなく、使用材料の節減も図れる。
【０００９】
また、下地材兼方立てと支持片を別体に形成して接合するので、支持片を下地材兼方立ての両側に取り付けるか、片側に取り付けるかで、１種類の下地材兼方立てを端部用、中間部用、目地部用、角部用に共用することができて経済的である。
【００１０】
請求項２に係る発明によれば、建築物への取付部と、下地材兼方立てへの取付部とに分割形成した取付部材は、建築物と下地材兼方立てにそれぞれ取り付けた後で両者を接合することで、強固で確実な下地材兼方立ての取り付けが簡単に行える。
【００１１】
請求項３に係る発明によれば、下地材兼方立てへの取付部が山形をなす取付面を有し、建築物への取付部がハの字形をなすようにしてある取付部材は、建築物の角部へ安定するように取り付けて、この部材に２個の下地材兼方立てを直交するように支持させることが簡単にできて意匠性にも優れる。
【発明を実施するための最良の形態】
【００１２】
以下に本発明に係る建築用外装ルーバーの実施形態を図面に付いて説明する。
【００１３】
図１及び図２において符号Ａは、建築用外装ルーバーを示すものであり、この建築用外装ルーバーＡは、建築物１の外側に対をなすように下地材兼方立て２、下地材兼方立て２を先付けして置いて、これら下地材兼方立て２、下地材兼方立て２の間に両端の裏側をこれら下地材兼方立てに止着したルーバー材３を並列して所望の建築用外装ルーバーを構成させることを特徴とする。
【００１４】
上記下地材兼方立て２は、図２〜図４に示す通り各ルーバー材３の小口４を覆う側面２ａの裏側の取付面２ｂ近くに、各ルーバー材３の端部の裏側３ａを支持させる支持片５を設け、裏側には建築物１へボルト等の部材で固定する取付部材６を固定して、この取付部材６で対をなす下地材兼方立て２、下地材兼方立て２を相互の間にルーバー材３が納まる間隔で建築物１へ固定する。そして、この下地材兼方立て２の形成は、アルミニウム又はその合金の押出成形で、図５に示す通り中空の長方形断面を有し、裏側の取付面２ｂには図３に示す通り取付部材６と接合するボルト７の頭７ａを係合させるＴ形溝８を長手方向に形成され、側面２ａ、側面２ａの取付面２ｂに近い部分には、図３に示す通り支持片５を接合するボルト９の頭９ａを係合させるＴ形溝１０を長手方向に形成され、更に、表面２ｃと取付面２ｂには、図面には示してない端蓋を取り付けるためのタッピンねじを捻じ込む欠円溝１１、欠円溝１１を図５に示す通り長手方向に形成されている。
【００１５】
また、上記下地材兼方立て２は、図５の円内に示す通り、表面２ｃの両端から前方へ突縁１２、突縁１２を突出させた形状に成形すると、突縁１２、突縁１２によって正面視の意匠性を高めることができる。
【００１６】
また、下地材兼方立て２の側面２ａから突出してルーバー材３の裏側の取付部３ａを支持させる支持片５も、アルミニウム又はその合金の押出成形で形成する。この支持片５は下地材兼方立て２へ接合する接合片５ａとで逆Ｌ字形をなすもので、支持片５には図３に示す通り、この支持片５とルーバー材３内へ挿入される抑え板１３とを接合するボルト１４を係合させる切込孔１５をルーバー材３の取り付けに適した間隔で図５に示す通り多数をあけられ、接合片５ａには下地材兼方立て２の側面２ａへ図３に示す通り形成されるＴ形溝１０に頭９ａを係合させたボルト９を通す孔１６を適当な間隔で図５に示す通り所要数あけられている。
【００１７】
上記の通り下地材兼方立て２と支持片５を別体に形成すれば、支持片５を図２の中央部に示される通り下地材兼方立て２の両方に取り付けることも、同図の上部及び下部に示す通り下地材兼方立て２の一方だけに取り付けることもできて、１種類で端部用、中間部用、目地部用、角部用に対応できる。更に、下地材兼方立て２と支持片５は、図６及び図７に示す通り押出成形で一体に形成してもよい。
【００１８】
上記下地材兼方立て２を建築物１へ取り付ける取付部材６は、建築物１へ取り付ける取付部１７と、下地材兼方立て２へ取り付ける取付部１８とに分割形成して、建築物１と下地材兼方立て２とへそれぞれ取り付けた後、両者を嵌め合せて結合する構成とするものであり、建築物１の平面部１ａへ取り付けるものは、取付部１７をステンレス板等の曲げ加工で図８に示す通り上向きのコ字形に形成して、開口側の中央部を連結片１９で連結することで補強し、平面部１ａへ取り付ける取付面１７ａには、図３に示す通り建築物1にセットされたアンカーボルト２０を通す左右方向に長い孔２１を複数個あけられ、側面１７ｂ、側面１７ｂには、この取付部１７と下地材兼方立て２への取付部１８とを図３に示す通り結合するボルト２２を通す長い孔２３があけられている。
【００１９】
また、下地材兼方立て２へ取り付ける取付部１８は、ステンレス板等の曲げ加工で図８に示す通り、上記取付部１７の外側へ嵌るように下向きのコ字形に形成されて、表側の下地材兼方立て２への取付面１８ａには、図３に示す通り下地材兼方立て２の裏側に形成されるＴ字溝８に頭７ａを係合させたボルト７を通す円孔２４を複数個あけられ、側面１８ｂ、側面１８ｂには、この取付部１８と建築物１への取付部１７とを、図３に示す通り結合するボルト２２を通す長い孔２５があけられている。
【００２０】
更に、建築物１の角部１ｂには図２、図４に示す通り、角部用の取付部材６´を取り付けて、この取付部材６´に、角部１ｂで突き合わさるルーバー材３、ルーバー材３の端部を支持させる一対の下地材兼方立て２、下地材兼方立て２を取り付けるようにする。
【００２１】
このため、取付部材６´は、建築物１への取付部２６及び下地材兼方立て２、下地材兼方立て２の取付部２７を角部１ｂへの取り付けに適した形状に形成する。即ち、建築物１へ取り付ける取付部２６は、ステンレス板等の曲げ加工で図９に示す通り下向きのコ字形として、側面２６ａ、側面２６ａの先端には、それぞれ外側へ曲がってハの字形をなす角部１ｂへの取付面２６ｂ、取付面２６ｂを形成され、これら取付面２６ｂ、取付面２６ｂに、建築物1に図４に示す通りセットされたアンカーボルト２０を通す長い孔２８を複数個ずつあけられ、また、側面２６ａ、側面２６ａには、この取付部２６と下地材兼方立て２への取付部２７とを図４に示す通り結合するボルト２２を通す長い孔２９があけられている。
【００２２】
また、下地材兼方立て２へ取り付ける取付部２７は、ステンレス板等の曲げ加工で図９に示す通り、上記取付部２６の外側へ嵌る門形で、２つの下地材兼方立て２を直交するように取り付ける取付面２７ａ、取付面２７ａは挟角が９０度の山形をなすように形成され、この取付面２７ａ、取付面２７ａには、下地材兼方立て２、下地材兼方立て２の裏側に形成されるＴ字溝８に、図４に示す通り頭７ａを係合させたボルト７を通す長い孔３０が複数個あけられ、上記取付面２７ａ、取付面２７ａよりも幅を狭くした側面２７ｂ、側面２７ｂには、この取付部２７と建築物１への取付部２６とを、図４に示す通り結合するボルト２２を通す長い孔３１があけられている。
【００２３】
対をなす下地材兼方立て２、下地材兼方立て２へ両端の裏側を接合して、建築用外装ルーバーＡを構成させるルーバー材３は、建築物１への日照や気流や視線等の条件及び意匠性等を勘案して適当な形状を選定するもので、例えば、図１０（ａ）示す通りの平板形か、同図（ｂ）に示す通りの斜板形、同図（ｃ）に示す円柱形等の中空体にアルミニウムまたはその合金の押出成形で形成される。そして、これらルーバー材３の支持片５への取り付けは、図１０（ａ）に示す平板形、図１０（ｂ）に示す斜板形の場合は、裏側の取付部３ａにそれぞれスリット３２を形成して、これらスリット３２を支持片５に設けた切込孔１５へ合わせてボルト１４を通し、このボルト１４をルーバー材３の内部へ挿入した抑え片１３の雌ねじ３３へ締め込むことで行うようにし、図１０（ｃ）に示す円柱形の場合は、裏側の取付部３ａにＴ形溝３４を設けて、このＴ形溝３４にボルト１４の頭１４ａを係合させ、該ボルト１４を支持片５に設けた切込孔１５に通して外側からナット３５を締め込むことで行うようにする。
【００２４】
上記構成の各部材を用いて建築用外装ルーバーＡを構成設置するには、下地材兼方立て２と支持片５が別体に形成されている場合は、下地材兼方立て２の側面２ａに形成されるＴ字溝１０にボルト９の頭９ａを係合させて、支持片５の接合片５ａを孔１５からボルト９が出るように下地材兼方立て２の側面２ａに当て、ボルト９にナット３６を締め込むことで、下地材兼方立て２の両側又は片側へ支持片５を固定して置く。
【００２５】
そして、建築物１の平面部１ａには、図８に示す形状の取付部材６の建築物１への取付部１７を、裏側の取付面１７ａにあけた孔２１から建築物１にセットされているアンカーボルト２０が出るように建築物１へ当てて、アンカーボルト２０にナット３７を締め込むことで、取付部１６の所要数を適当な間隔で建築物１の平面部１ａへ固定する。
【００２６】
次に、下地材兼方立て２の取付面２ｂに設けたＴ字溝８に、所要数のボルト７の頭７ａを係合させて、これらボルト７を図８に示す通り下地材兼方立て２への取付部１８の取付面１８ａにあけた孔２４に通して、各ボルト７にナット３８を締め込めば、下地材兼方立て２と所要数の取付部１８とはボルト７で結合一体化されるから、これら取付部１８を建築物１へ固定されている取付部１７へ図３に示す通り嵌め付けて、取付部１８にあけられた孔２５と、取付部１７にあけられた孔２３を合致させてボルト２２を挿し通し、このボルト２２にナット３９を締め込めば、取付部１７と取付部１８はボルト２２による結合で一体化されるので、下地材兼方立て２を建築物１の平面部１ａへ取付部材６で強固に取り付けることが容易に早く行なえる。
【００２７】
また、建築物１の角部１ｂには、図９に示す形状の建築物１への取付部２６と下地材兼方立て２への取付部２７を接合して構成した取付部材６´を用いるもので、先ず、建築物１への取付部２６の側面２６ａ、側面２６ａの先端に、ハの字形をなすように形成される取付面２６ｂ、取付面２６ｂを、この部分にあけられた孔２８、孔２８から建築物１の平面部１ａと側面部１ｃにセットされているアンカーボルト２０、アンカーボルト２０が出るように平面部１ａと側面部１ｃに当て、アンカーボルト２０、アンカーボルト２０にナット３７、ナット３７を締め込めば、取付部２６の所要数が適当な間隔で建築物１の角部１ｂへ固定される。
【００２８】
次に、一対の下地材兼方立て２、下地材兼方立て２の取付面２ｂに設けたＴ字溝８には、それぞれ所要数のボルト７の頭７ａを係合させて、これらボルト７を下地材兼方立て２への取付部２７の取付面２７ａへ図９に示す通りあけられた孔３０へ通し、各ボルト７にナット３８を締め込めば、一対の下地材兼方立て２と所要数の取付部２７とは、ボルト７による接合で一体化されるので、これら取付部２７を建築物１へ固定されている取付部２６へ図４に示す通り嵌め付けて、取付部２７にあけられた孔３１と、取付部２６にあけられた孔２９を合致させてボルト２２を通し、このボルト２２にナット３９を締め込めば、取付部２６と取付部２７はボルト２２による結合で一体化されるので、下地材兼方立て２を建築物１の角部１ｂへ取付部材６´で強固に取り付けることが容易に早く行なえる。
【００２９】
上記の通り取付部材６及び取付部材６´で端部用、中間部用、角部用の下地材兼方立て２が建築物１の平面部１ａ及び角部１ｂへ取り付けられたら、対をなす下地材兼方立て２、下地材兼方立て２の間へ、両端部の内側に図１０（ａ）に示す通り抑え板１３を挿入した平板形のルーバー材３を収めて、抑え板１３に設けられた雌ねじ３３へ支持片５の切込孔１５とスリット３２を通したボルト１４を捻じ込めば、ルーバー材３をその小口４が下地材兼方立て２で覆われるように下地材兼方立て２へ取り付けられて、例えば、３０００
〜４０００ｍｍの長尺物の場合でも中間に支持部材を要しない強固な取り付けが容易に行われて、意匠性にも優れた正面視が図1に示す通りで、平面視が図２の通りの建築用外装ルーバーＡが構成される。
【００３０】
図１１は、図５の円内に示す通り、表面２ｃの両側に突縁１２、突縁１２を突出させた下地材兼方立て２を使用して構成した建築用外装ルーバーＡを示すもので、図２に示す実施形態と同様、取付部材６、取付部材６´で建築物１へ端部の下地材兼方立て２、中間の下地材兼方立て２、角部の下地兼方立て２をそれぞれさり付けて、対応する下地材兼方立て２、下地材兼方立て２の間へ、ルーバー材３を収めて、端部の裏側を支持片５へ接合すれば、突縁１２、突縁１２の存在によってより意匠性が高められた建築用外装ルーバーＡを構成することができる。
【産業上の利用可能性】
【００３１】
下地材兼方立てを先付けして、これらの間にルーバー材を挟み、その両端の裏側で下地材兼方立てと接合することで、建築物の大きな開口部等へ設置するのに好適であって、市場性が高い建築用外装ルーバーの提供に有効利用できる。
【図面の簡単な説明】
【００３２】
【図１】建築物の開口部の外側等に張設された建築用外装ルーバーの一部分を３つに    区分表示した正面図。
【図２】同上建築用外装ルーバーの一部分を３つに区分表示した平面図。
【図３】図２の３つに区分表示された中間部分を示す拡大図。
【図４】図２の３つに区分表示された上の部分を示す拡大図。
【図５】下地材兼方立てを２部材で構成する場合の各部材の一部分を示す斜視図。
【図６】１部材で下地材兼方立てを構成させた一例の一部分を示す斜視図。
【図７】１部材で下地材兼方立てを構成させた変形例の一部分を示す斜視図。
【図８】下地材兼方立てを建築物の平面部へ取り付けるための取付部材を構成させる    ２部材の斜視図。
【図９】下地材兼方立てを建築物の角部へ取り付けるための取付部材を構成させる２    部材の斜視図
【図１０】（ａ）（ｂ）（ｃ）は、平板形、斜板形、円柱形の各ルーバー材を下地材    兼方立てへ取り付けた態様の断面図。
【図１１】図２に示す建築用外装ルーバーの一部の変形態様を示す平面図。
【符号の説明】
【００３３】
Ａ  建築用外装ルーバー
１  建築物
２  下地材兼方立て
２ａ  側面
３  ルーバー材
４  小口
５  支持片
６  取付部材
【図１】
0004886724.tif 000002
【図２】
0004886724.tif 000003
【図３】
0004886724.tif 000004
【図４】
0004886724.tif 000005
【図５】
0004886724.tif 000006
【図６】
0004886724.tif 000007
【図７】
0004886724.tif 000008
【図８】
0004886724.tif 000009
【図９】
0004886724.tif 000010
【図１０】
0004886724.tif 000011
【図１１】
0004886724.tif 000012